(57)【要約】【課題】  通話中に相手先に位置情報を報知可能な通信装置及び通信システムを提供する。【解決手段】  ２つの携帯電話装置１００間で通話が行われている状態で、一方の携帯電話装置１００で特定のキー操作が施されると、携帯電話装置１００はＧＰＳ衛星２００からの信号により現在の位置情報を求め、求めた位置情報を音声情報に変換し、通話中の音声に重畳させて相手先の携帯電話装置１００へ送信する。音声情報を受信した携帯電話装置１００は、受信した音声情報をテキスト等の位置情報に変換して表示する【選択図】  図１
2011004312.tif 000002
【特許請求の範囲】
【請求項１】
通話中に所定の操作があると、現在の位置情報を算出し、更に算出した位置情報を音声情報に変換して通話相手に送信することを特徴とする通信装置。
【請求項２】
通話中に相手先から送信された位置情報の音声情報をテキストデータに変換して表示することを特徴とする通信装置。
【請求項３】
音声信号の送受信を行う送受信部と、位置情報を算出する位置情報算出部と、当該位置情報受信部が受信した位置情報を音声情報に変換する音声処理部と、入力部と、を有し、
通話中に前記入力部からの指示操作に基づいて、前記位置情報算出部が現在の位置情報を算出し、算出した位置情報を前記音声処理部が音声情報に変換し、変換された音声情報を前記送受信部が通話相手に送信することを特徴とする通信装置。
【請求項４】
音声信号の送受信を行う送受信部と、当該送受信部が受信した位置を示す音声情報をテキストデータに変換する音声処理部と、表示部と、を有し、
通話中に前記送受信部が前記音声情報を受信すると、前記音声処理部が受信した音声情報をテキストデータに変換し、変換されたテキストデータは、前記部に表示されることを特徴とする通信装置。
【請求項５】
音声信号の送受信を行う送受信部と、当該送受信部が受信した位置情報を変換した音声情報をテキストデータに変換する音声処理部と、表示部と、地図情報を格納する格納部と、を有し、
通話中に前記送受信部が前記音声情報を受信すると、前記音声処理部が受信した音声情報をテキストデータに変換し、変換されたテキストデータに対応する前記格納部に格納されている地図情報が前記表示部に表示されることを特徴とする通信装置。
【請求項６】
音声信号の送受信を行う送受信部と、当該送受信部が受信した位置情報を変換した音声情報をテキストデータに変換する音声処理部と、表示部と、地図情報を受信する地図情報受信部と、を有し、
通話中に前記送受信部が前記音声情報を受信すると、前記音声処理部が受信した音声情報をテキストデータに変換し、変換されたテキストデータに対応する地図情報を前記地図情報受信部が受信し、受信した地図情報が前記表示部に表示されることを特徴とする通信装置。
【請求項７】
第１の通信装置と第２の通信装置との間で通話が可能なシステムであり、
前記第１の通信装置は、音声信号の送受信を行う送受信部と、位置情報を算出する位置情報算出部と、当該位置情報算出部が算出した位置情報を音声情報に変換する音声処理部と、入力部と、を有し、通話中に前記入力部からの指示操作に基づいて、前記位置情報受信部が現在の位置情報を受信し、受信した位置情報を前記音声処理部が音声情報に変換し、変換された音声情報を前記送受信部が前記第２の通信装置に送信し、
前記第２の通信装置は、音声信号の送受信を行う送受信部と、当該送受信部が受信した位置を示す音声情報をテキストデータに変換する音声処理部と、表示部と、を有し、通話中に前記送受信部が前記音声情報を受信すると、前記音声処理部が受信した音声情報をテキストデータに変換し、変換されたテキストデータは、前記部に表示されることを特徴とする通信システム。
【請求項８】
第１の通信装置と第２の通信装置との間で通話が可能なシステムであり、
前記第１の通信装置は、音声信号の送受信を行う送受信部と、位置情報を算出する位置情報算出部と、当該位置情報算出部が算出した位置情報を音声情報に変換する音声処理部と、入力部と、を有し、通話中に前記入力部からの指示操作に基づいて、前記位置情報受信部が現在の位置情報を受信し、受信した位置情報を前記音声処理部が音声情報に変換し、変換された音声情報を前記送受信部が前記第２の通信装置に送信し、
前記第２の通信装置は、音声信号の送受信を行う送受信部と、当該送受信部が受信した位置情報を変換した音声情報をテキストデータに変換する音声処理部と、表示部と、地図情報を格納する格納部と、を有し、通話中に前記送受信部が前記音声情報を受信すると、前記音声処理部が受信した音声情報をテキストデータに変換し、変換されたテキストデータに対応する前記格納部に格納されている地図情報が前記表示部に表示されることを特徴とする通信システム。
【請求項９】
第１の通信装置と第２の通信装置との間で通話が可能なシステムであり、
前記第１の通信装置は、音声信号の送受信を行う送受信部と、位置情報を算出する位置情報算出部と、当該位置情報算出部が算出した位置情報を音声情報に変換する音声処理部と、入力部と、を有し、通話中に前記入力部からの指示操作に基づいて、前記位置情報受信部が現在の位置情報を受信し、受信した位置情報を前記音声処理部が音声情報に変換し、変換された音声情報を前記送受信部が前記第２の通信装置に送信し、
前記第２の通信装置は、音声信号の送受信を行う送受信部と、当該送受信部が受信した位置情報を変換した音声情報をテキストデータに変換する音声処理部と、表示部と、地図情報を受信する地図情報受信部と、を有し、通話中に前記送受信部が前記音声情報を受信すると、前記音声処理部が受信した音声情報をテキストデータに変換し、変換されたテキストデータに対応する地図情報を前記地図情報受信部が受信し、受信した地図情報が前記表示部に表示されることを特徴とする通信システム。
【発明の詳細な説明】
【技術分野】
【０００１】
本発明は、位置情報を受信し相手先に報知可能な通信システム及び通信システムに関する。
【背景技術】
【０００２】
近年の携帯電話装置では、ＧＰＳ（Global Positioning System）を用いて位置情報を受信する機能や、受信した位置情報をメールに添付して送信する機能を搭載したものが存在する。
また、これに関連する技術として、例えば特許文献１には、所定のキーを操作すると防犯ブザーが起動し警告音が鳴動すると共に、自動的に位置情報を受信し受信した位置情報をメールに添付して所定の宛先に送信する技術が開示されている。
【先行技術文献】
【特許文献】
【０００３】
【特許文献１】特開２００８−２０５７７１号公報
【発明の概要】
【発明が解決しようとする課題】
【０００４】
特許文献１に記載の技術は、位置情報をメールに添付して送信する技術であるが、例えばユーザが通話中に強盗に会う等の危機的状況に陥る場合には、通話中に所定の相手先（例えば通話相手）に現在の位置情報を送信可能であることが好ましいが、現在の携帯電話装置では、通話中にメールを作成し位置情報を送信することはできない。また、仮にメールを作成し位置情報を送信可能であったとしても、メールの作成操作等を行う必要があり、ユーザが危機的状況に陥った場合にはとてもそのような操作を行う余裕はない。可能であるならば、通話中のチャンネルを維持したまま、即ち、現在基地局と端末との接続を維持したまま、通話中のチャンネルを用いて即座に位置情報を送信可能であることが好ましい。
【課題を解決するための手段】
【０００５】
本発明はこのような課題を解決するためのものであり、請求項１に記載の発明は、通話中に所定の操作があると、現在の位置情報を算出し、更に算出した位置情報を音声情報に変換して通話相手に送信することを特徴とする。
請求項２記載の発明は、通話中に相手先から送信された位置情報の音声情報をテキストデータに変換して表示することを特徴とする。
請求項３記載の発明は、音声信号の送受信を行う送受信部と、位置情報を算出する位置情報算出部と、当該位置情報受信部が受信した位置情報を音声情報に変換する音声処理部と、入力部と、を有し、通話中に前記入力部からの指示操作に基づいて、前記位置情報算出部が現在の位置情報を算出し、算出した位置情報を前記音声処理部が音声情報に変換し、変換された音声情報を前記送受信部が通話相手に送信することを特徴とする。
請求項４に記載の発明は、音声信号の送受信を行う送受信部と、当該送受信部が受信した位置を示す音声情報をテキストデータに変換する音声処理部と、表示部と、を有し、通話中に前記送受信部が前記音声情報を受信すると、前記音声処理部が受信した音声情報をテキストデータに変換し、変換されたテキストデータは、前記部に表示されることを特徴とする。
請求項５に記載の発明は、音声信号の送受信を行う送受信部と、当該送受信部が受信した位置情報を変換した音声情報をテキストデータに変換する音声処理部と、表示部と、地図情報を格納する格納部と、を有し、通話中に前記送受信部が前記音声情報を受信すると、前記音声処理部が受信した音声情報をテキストデータに変換し、変換されたテキストデータに対応する前記格納部に格納されている地図情報が前記表示部に表示されることを特徴とする。
請求項６に記載の発明は、音声信号の送受信を行う送受信部と、当該送受信部が受信した位置情報を変換した音声情報をテキストデータに変換する音声処理部と、表示部と、地図情報を受信する地図情報受信部と、を有し、通話中に前記送受信部が前記音声情報を受信すると、前記音声処理部が受信した音声情報をテキストデータに変換し、変換されたテキストデータに対応する地図情報を前記地図情報受信部が受信し、受信した地図情報が前記表示部に表示されることを特徴とする。
請求項７に記載の発明は、第１の通信装置と第２の通信装置との間で通話が可能なシステムであり、前記第１の通信装置は、音声信号の送受信を行う送受信部と、位置情報を算出する位置情報算出部と、当該位置情報算出部が算出した位置情報を音声情報に変換する音声処理部と、入力部と、を有し、通話中に前記入力部からの指示操作に基づいて、前記位置情報受信部が現在の位置情報を受信し、受信した位置情報を前記音声処理部が音声情報に変換し、変換された音声情報を前記送受信部が前記第２の通信装置に送信し、前記第２の通信装置は、音声信号の送受信を行う送受信部と、当該送受信部が受信した位置を示す音声情報をテキストデータに変換する音声処理部と、表示部と、を有し、通話中に前記送受信部が前記音声情報を受信すると、前記音声処理部が受信した音声情報をテキストデータに変換し、変換されたテキストデータは、前記部に表示されることを特徴とする。
請求項８に記載の発明は、第１の通信装置と第２の通信装置との間で通話が可能なシステムであり、前記第１の通信装置は、音声信号の送受信を行う送受信部と、位置情報を算出する位置情報算出部と、当該位置情報算出部が算出した位置情報を音声情報に変換する音声処理部と、入力部と、を有し、通話中に前記入力部からの指示操作に基づいて、前記位置情報受信部が現在の位置情報を受信し、受信した位置情報を前記音声処理部が音声情報に変換し、変換された音声情報を前記送受信部が前記第２の通信装置に送信し、前記第２の通信装置は、音声信号の送受信を行う送受信部と、当該送受信部が受信した位置情報を変換した音声情報をテキストデータに変換する音声処理部と、表示部と、地図情報を格納する格納部と、を有し、通話中に前記送受信部が前記音声情報を受信すると、前記音声処理部が受信した音声情報をテキストデータに変換し、変換されたテキストデータに対応する前記格納部に格納されている地図情報が前記表示部に表示されることを特徴とする。
請求項９に記載の発明は、第１の通信装置と第２の通信装置との間で通話が可能なシステムであり、前記第１の通信装置は、音声信号の送受信を行う送受信部と、位置情報を算出する位置情報算出部と、当該位置情報算出部が算出した位置情報を音声情報に変換する音声処理部と、入力部と、を有し、通話中に前記入力部からの指示操作に基づいて、前記位置情報受信部が現在の位置情報を受信し、受信した位置情報を前記音声処理部が音声情報に変換し、変換された音声情報を前記送受信部が前記第２の通信装置に送信し、前記第２の通信装置は、音声信号の送受信を行う送受信部と、当該送受信部が受信した位置情報を変換した音声情報をテキストデータに変換する音声処理部と、表示部と、地図情報を受信する地図情報受信部と、を有し、通話中に前記送受信部が前記音声情報を受信すると、前記音声処理部が受信した音声情報をテキストデータに変換し、変換されたテキストデータに対応する地図情報を前記地図情報受信部が受信し、受信した地図情報が前記表示部に表示されることを特徴とする。
【発明の効果】
【０００６】
本発明によれば、通話中に使用しているチャンネルを用いて現在位置情報を送信することが可能である。又、位置情報は音声情報に変換されて相手先に送信されるために、送話側も受話側も通話を続けながら特別な操作をせずとも現在位置の報知と相手先の現在位置の認識が可能である。
また、受話側では音声情報がテキストデータに変換されて表示部に表示されるため、受話側のユーザは表示部を見ることにより容易に通話相手の位置を把握することが可能である。
更に、受話側は相手先の現在位置を地図上で見ることが可能であるために、容易に通話相手の位置を把握することが可能である。
【図面の簡単な説明】
【０００７】
【図１】本発明を適用してなる実施例である通信システムの概略図である。
【図２】本発明の一実施形態に係る通信装置のブロック図である。
【図３】本実施例装置の動作を示すフロー図である。
【図４】本実施例装置の動作を示すフロー図である。
【発明を実施するための形態】
【０００８】
次に、本発明の一実施形態に係る通信装置について、図面を参照して説明する。なお、本実施例では携帯電話装置において実施しているが、相手先に位置情報を送信可能であり且つ通話可能な通信装置であれば携帯電話装置に限定されるものではない。
【実施例】
【０００９】
図１は本実施例装置のシステムを示す概略図である。携帯電話装置１００は、本実施例装置である携帯電話装置、ＧＰＳ（Global Positioning System）衛星２００は携帯電話装置１００に位置情報或いは、位置を特定するための情報を送信する衛星である。基地局３００は携帯電話装置１００と無線により接続可能な基地局であり、公衆回線網４００と接続されている。尚、交換機等は省略している。
【００１０】
本実施例装置では、２台の携帯電話装置１００は、基地局３００、公衆回線網４００、基地局３００を介して接続可能であり、お互い通話を行うことができる。ここで、携帯電話装置１００のユーザが通話中に現在の位置情報を通話相手先の携帯電話装置１００のユーザに知らせたい場合には、携帯電話装置１００がＧＰＳ衛星２００からの情報に基づいて位置情報（現在の携帯電話装置１００の位置の情報）を求め、求めた位置情報を音声情報に変換して、通話中の相手先に変換した音声情報を送信する。一方、この位置情報の音声情報を受信した相手先は、スピーカから発せられる位置情報の音声情報を聞くことが可能であり、更に、受信した位置情報の音声情報を文字情報に変換し表示された文字情報を見ることにより、現在位置がどこであるかを特定することが可能である。
【００１１】
以下により具体的に本実施例装置について説明する。図２は本実施例装置である携帯電話装置１００のブロック図である。
図２に示すように、携帯電話装置１００は、アンテナ２と接続された通信部３を備えている。この通信部３は、後述のベースバンド部４からの信号をアンテナ２を介して基地局へ発信し、あるいはアンテナ２を介して基地局からの電波を受信する。
【００１２】
また、通信部３は、ベースバンド部４と接続されている。ベースバンド部４は、ＣＤＭＡ処理回路５と、音声コーデック６と、を有している。ここで、ＣＤＭＡ処理回路５は、符号分割多元接続、スクランブル、誤り制御、タイミング検出を行う。また、音声コーデック６は、音声を圧縮（符号化）、伸張（復号化）したり、アナログとデジタルの変換を行ったり、内部の増幅回路（図示省略）により受話音量やマイクロホンの感度を変更する。尚、この通信部３やＣＤＭＡ処理回路５は電子メールの送受信機能も備えている。
【００１３】
また、ベースバンド部４には、切替回路７が接続されている。この切替回路７には、増幅回路８を介して第１スピーカ９が接続されている。この第１スピーカ９は、増幅回路８で増幅されたベースバンド部４の電気信号を音声に変換する。この第１スピーカ９は、ユーザの耳にあてて通話に使用される。
【００１４】
また、切替回路７には、増幅回路１０を介してマイクロホン１１が接続されている。このマイクロホン１１は、通話に使用され、音声を電気信号に変換する。マイクロホン１１により出力された電気信号は、増幅回路１０で増幅されてベースバンド部４に出力される。
【００１５】
また、切替回路７には、増幅回路１２を介して第２スピーカ１３が接続されている。この第２スピーカ１３は、増幅回路１２で増幅されたベースバンド部４の電気信号を音声に変換する。この第２スピーカ１３は、受話音を周囲の人にも聞かせるための拡声用のスピーカである。また、第２スピーカ１３は、着信報知の鳴動や警告音の鳴動も行う。切替回路７は、ベースバンド部４との接続を、第１スピーカ９用の増幅回路８とマイクロホン１１用の増幅回路１０側にするか、あるいは第２スピーカ１３用の増幅回路１２とマイクロホン１１用の増幅回路１０側にするかを切り替える。
【００１６】
また、通信部３、ベースバンド部４、切替回路７には、制御回路１がそれぞれ接続されている。この制御回路１の制御により上述した切替回路７による切り替えが行われる。また、制御回路１によりベースバンド部４の音声コーデック６が制御され、音声コーデック６により第１スピーカ９及び第２スピーカ１３の音量やマイクロホン１１の感度が変更される。制御回路１は、ＲＯＭ１６と接続されており、ＲＯＭ１６に格納されているシステムプログラムに基づき各部を制御する。
【００１７】
ＧＰＳアンテナ１４は、ＧＰＳ衛星２００からの位置を特定するための情報を受信する。また、ＧＰＳ処理部１５は、受信した情報を復調し、経度、緯度情報を算出する。尚、現在位置の算出方法としては、端末側で現在位置を算出する方法をとっても良いし、サーバにＧＰＳ衛星２００からの情報を送信し、サーバ側で現在位置を算出する方法としても良い。
フラッシュメモリ１７には、電話番号と氏名とメールアドレス等が対応付けて複数格納された電話帳のデータ、メール本文のデータ、画像データ、音楽データ、位置情報のテキストデータ等が格納される。また、フラッシュメモリ１７には地図情報も格納されている。
【００１８】
制御回路１には、入力部５０が接続されている。この入力部５０は、電話番号等の入力を行うテンキー５１と、通話の開始を操作する通話キー５２と、通話の終了を操作する切キー５３と、ＧＰＳキー５４と、電源キー５５と、を有している。また、制御回路１には、ディスプレイ６０のバックライトである照明部６１が接続されている。
音声処理部７０は、ＧＰＳ通信部１５から受信し算出した経度緯度情報を音声情報に変換する機能や、通話相手から受信した音声情報から経度緯度情報を取り出し、テキストデータに変換する機能等を有している。
図３及び図４は本実施例装置である携帯電話装置１００の動作を示すフロー図である。図３は、位置情報を音声情報に変換して送信する側の携帯電話装置１００の動作を示すフロー図、図４は、（位置情報の）音声情報を受信する側の携帯電話装置１００の動作を示すフロー図である。
【００１９】
まず図３のフロー図を用いて説明する。まず、Ｓ１ステップにおいて携帯電話装置１００が通話状態であるとする。続くＳ２ステップでは、制御回路１は、入力部５０から位置情報を取得するように指示する操作（例えばＧＰＳキー５４の押下）があると判定すると、Ｓ４ステップへ処理を進め、そうでなければＳ３ステップへ処理を進める。
【００２０】
Ｓ３ステップでは、制御回路１は、入力部５０から通話指示の操作があると判定するか、或いは相手先が通話を切断したと判定すると、Ｓ８ステップへ処理を進め通話を終了する。一方、通話が終了したと判定しなければ、Ｓ１ステップへ処理を戻し通話を継続する。
【００２１】
Ｓ４ステップでは、制御回路１は、ＧＰＳ通信部１５を制御することにより、ＧＰＳ通信部１５がＧＰＳ衛星２００から現在位置に関する情報を受信し、現在位置を算出する。続くＳ５ステップでは、Ｓ４ステップで算出した位置情報を音声処理部７０が音声情報に変換する。具体的には、位置情報である経度緯度の情報を音声情報（例えば、東経１４０度北緯３０度）に変換する。
【００２２】
続くＳ６ステップでは、制御回路１が、ベースバンド部４と通信部３を制御することにより、Ｓ５ステップで変換された音声情報と「＃＃」のＤＴＭＦ信号を通話中のチャンネルを用いて相手先に送信する。即ち、通話中に変換された音声情報が通話音声に重畳された形で相手先に送信するわけであるが、通話中の２人のユーザが音声を発しなければ、変換された音声情報だけが相手先に伝わるようになる。尚、送信する情報は、「＃＃」、変換された音声情報の順である。また、「＃＃」は受信側の携帯電話装置１００が、変換された音声情報をこれから受信すると認識するためのものである。
【００２３】
Ｓ７ステップでは、制御回路１は、入力部５０から通話終了の指示操作があると判定するか、或いは相手先が通話を切断したと判定すると、Ｓ８ステップへ処理を進め通話を終了する。一方、通話が終了したと判定しなければ、Ｓ１ステップへ処理を戻し通話を継続する。
【００２４】
Ｓ８ステップでは、制御回路１は、ベースバンド部４と通信部３を制御することにより通話を終了させる。
【００２５】
このように、携帯電話装置１００では、通話中に位置情報を受信（より具体的には算出し）、算出した位置情報を音声情報に変換して相手先に送信することが可能である。
【００２６】
次に（位置情報の）音声情報を受信する側の携帯電話装置１００の動作について図４を用いて説明する。まず、Ｓ１０ステップにおいて携帯電話装置１００が通話状態であるとする。続くＳ１１ステップでは、制御回路１は、通信部３とベースバンド部４を介して相手先から「＃＃」を受信したと判定すると、Ｓ１３ステップへ処理を進め、そうでなければＳ１２ステップへ処理を進める。
Ｓ１２ステップでは、制御回路１は、入力部５０から通話終了の操作があると判定するか、或いは相手先が通話を切断したと判定すると、Ｓ１８ステップへ処理を進め通話を終了する。一方、通話が終了したと判定しなければ、Ｓ１０ステップへ処理を戻し通話を継続する。
【００２７】
Ｓ１３ステップでは、音声処理部７０が音声認識を開始し、「＃＃」に続く変換された音声情報から経度緯度情報を認識し、テキストデータに変換する。尚、受信した「＃＃」と続く（位置情報の）音声情報はスピーカ９から出力される。例えば、「ピッ、ピッ、東経１４０度北緯３０度」という音がスピーカ９から出力される。
【００２８】
Ｓ１４ステップでは、制御回路１は、Ｓ１３ステップで変換されたテキストデータをディスプレイ６０に表示させる。ここでは、ディスプレイ６０には例えば、東経１４０度北緯３０度が表示される。
【００２９】
Ｓ１５ステップでは、制御回路１は、入力部５０から地図情報の表示を指示する操作があると判定すると、Ｓ１６ステップへ処理を進め、そうでなければＳ１７ステップへ処理を進める。
【００３０】
Ｓ１６ステップでは、制御回路１は、受信し変換された経度緯度の周囲の地図をフラッシュメモリ１７から読込、更にこの地図に受信した経度緯度をプロットした画像をディスプレイ６０に表示させる。尚、地図情報は通信部３を制御することにより特定のサーバからダウンロードできるように構成しても良い。
【００３１】
Ｓ１７ステップでは、制御回路１は、入力部５０から通話終了の指示操作があると判定するか、或いは相手先が通話を切断したと判定すると、Ｓ１８ステップへ処理を進め通話を終了する。一方、通話が終了したと判定しなければ、Ｓ１０ステップへ処理を戻し通話を継続する。
【００３２】
Ｓ１８ステップでは、制御回路１は、ベースバンド部４と通信部３を制御することにより通話を終了させる。
このように、位置情報が変換された音声情報を受信した携帯電話装置１００側では、スピーカ１３から（位置情報の）音声情報が出力されると共に音声情報に対応する位置情報がテキストデータに変換されてディスプレイ６０に表示される。尚、本実施例では、ユーザがキー操作をすることにより地図を表示する構成としたが、変換された音声情報を受信すると自動的に地図を表示する構成としても良い。
【符号の説明】
【００３３】
１      制御回路
１４    ＧＰＳアンテナ
１５    ＧＰＳ処理部
１７    フラッシュメモリ
５４    ＧＰＳキー
７０    音声処理部
【図１】
2011004312.tif 000003
【図２】
2011004312.tif 000004
【図３】
2011004312.tif 000005
【図４】
2011004312.tif 000006